(57)【要約】【課題】折畳式手提げバッグの折り畳みを容易にする。【解決手段】折り目３ａは、バッグ本体１の表面３における左側縁１ｃよりも内側に設けられ、バッグ本体１上方の開口部１ａからバッグ本体下方の底縁１ｂに向かって延在する。折り目４ａは、バッグ本体１の裏面４において折り目３ａと重なり合うように設けられ、折り目３ａと折り山の方向が一致する。【選択図】図１
2009061167.tif 000002
【特許請求の範囲】
【請求項１】
折畳式手提げバッグにおいて、
バッグ本体と、
前記バッグ本体の表面に設けられ、前記バッグ本体上方の開口部から前記バッグ本体下方の底縁に向かって延在する第１の折り目と、
前記バッグ本体の裏面において前記第１の折り目と重なり合うように設けられ、前記第１の折り目と折り山の方向が一致する第２の折り目と
を有することを特徴とする折畳式手提げバッグ。
【請求項２】
前記バッグ本体の表面における右側縁よりも内側に設けられ、前記開口部から前記底縁に向かって延在する第３の折り目と、
前記バッグ本体の裏面において前記第３の折り目と重なり合うように設けられ、前記第３の折り目と折り山の方向が一致する第４の折り目とをさらに有し、
前記第１の折り目は、前記バッグ本体の表面における左側縁よりも内側に設けられていることを特徴とする請求項１に記載された折畳式手提げバッグ。
【請求項３】
前記第１の折り目および前記第３の折り目は、折り山の方向が一致することを特徴とする請求項２に記載された折畳式手提げバッグ。
【請求項４】
前記第１の折り目から前記第４の折り目のそれぞれは、折り山の頂部近傍を重ね縫いしたピンタックによって形成されていることを特徴とする請求項２または３に記載された折畳式手提げバッグ。
【請求項５】
前記バッグ本体の側縁および底縁の少なくとも一方に設けられ、バッグ外側に山折りされた少なくとも一つの折り目をさらに有することを特徴とする請求項１から４のいずれかに記載された折畳式手提げバッグ。
【請求項６】
前記本体バッグの側縁の少なくとも一つの折り目は、
バッグ外側に山折りされた一対の折り目と、
前記一対の折り目の間に設けられ、バッグ内側に向かって山折りされた折り目と
を有することを特徴とする請求項５に記載された折畳式手提げバッグ。
【発明の詳細な説明】
【技術分野】
【０００１】
本発明は、折畳式手提げバッグに関する。
【背景技術】
【０００２】
スーパー等での買い物にはビニール袋が頻繁に使用されているが、近年では環境保護の観点から、自前の手提げバッグを使用することが推奨されている。このような手提げバッグがスーパー等で使用されるためには、手提げバッグ自身に携帯しやすいコンパクト性が求められる。コンパクト性を確保するための技術として、特許文献１では、手提げ部に設けられた包持材に、特許文献２では、バッグ本体に設けられた収納袋に、それぞれバッグ本体を収納する折畳式手提げバッグが開示されている。
【０００３】
【特許文献１】実用新案登録３０７８６３９号公報
【特許文献２】特開２００６−２４７０７１号公報
【発明の開示】
【発明が解決しようとする課題】
【０００４】
しかしながら、バッグ本体は、収納性を確保するように設計されているため、バッグ本体を必ず折り畳む工程が必要となるが、特許文献１，２には、折り畳む工程のみが開示されおり、如何にして容易に折り畳むかという発想はない。そのため、無駄な折り畳みや、それによる無駄な空間等が発生してしまう可能性があり、所望のコンパクト性が確保できず、予め収納用に用意されていた小袋等に容易に収めることはできない場合がある。この結果、折畳式手提げバッグは、折り畳まずに放置されてしまいがちになる。
【０００５】
本発明は、かかる事情に鑑みてなされたものであり、その目的は、折畳式手提げバッグの折り畳みを容易にすることである。
【課題を解決するための手段】
【０００６】
かかる課題を解決するために、本発明は、折畳式手提げバッグを提供する。この折畳式手提げバッグは、バッグ本体と、第１の折り目と、第２の折り目とを有する。第１の折り目は、バッグ本体の表面に設けられ、バッグ本体上方の開口部からバッグ本体下方の底縁に向かって延在する。第２の折り目は、バッグ本体の裏面において第１の折り目と重なり合うように設けられ、第１の折り目と折り山の方向が一致する。
【０００７】
ここで、本発明において、この折畳式手提げバッグは、第３の折り目と、第４の折り目とをさらに有することが好ましい。第３の折り目は、バッグ本体の表面における右側縁よりも内側に設けられ、開口部から底縁に向かって延在する。第４の折り目は、バッグ本体の裏面において第３の折り目と重なり合うように設けられ、第３の折り目と折り山の方向が一致する。このとき、第１の折り目は、バッグ本体の表面における左側縁よりも内側に設けられる。
【０００８】
また、本発明において、第１の折り目および第３の折り目は、折り山の方向が一致することが好ましい。このとき、第１の折り目から第４の折り目のそれぞれは、折り山の頂部近傍を重ね縫いしたピンタックによって形成されている。
【０００９】
さらに、本発明において、バッグ本体の側縁および底縁の少なくとも一方に設けられ、バッグ外側に山折りされた少なくとも一つの折り目をさらに有することが好ましい。このとき、本体バッグの側縁少なくとも一つの折り目は、バッグ外側に山折りされた一対の折り目と、一対の折り目の間に設けられ、バッグ内側に向かって山折りされた折り目とを有する。
【発明の効果】
【００１０】
本発明によれば、バッグ本体の表面側の折り目およびバッグ本体の裏面側の折り目は、互いに重なり合い、かつ、折り山の方向が一致する。これにより、バッグ本体に折り畳む際のガイドが予め形成されるので、バッグ本体の折り畳みを容易にすることができる。
【発明を実施するための最良の形態】
【００１１】
図１は、本実施形態における折畳式手提げバッグの斜視図である。手提げバッグは、バッグ本体１と、このバッグ本体１の左右の布片と一体となって形成された手提げ部２とに分けられる。本実施形態のバッグ本体１および手提げ部２には、ナイロン等といった化学繊維等の柔軟な生地が用いられている。バッグ本体１の上方には、荷物の出し入れを可能にするための開口部１ａが設けられており、バッグ本体１の下方には、収納された荷物を支えるための底縁１ｂが設けられている。手提げ部２は、横方向（左右方向）に腕等を通すのに適正なループ状を有している。
【００１２】
バッグ本体１は、正面（外側）からみて正方形または長方形等の略矩形状を有している。バッグ本体１は、表面３と裏面４とを対向させ、開口部１ａを除いた周囲（底縁１ｂ，左側縁１ｃ、右側縁１ｄ）を縫合等することで袋状に形成される。本実施形態におけるバッグ本体１の側縁１ｃ，１ｄには、バッグ本体１の収納容積を拡大させるため、表面３と裏面４との間にマチが設けられている。なお、本実施形態において、表面３とは同図からみて手前側の生地をいい、裏面４とは同図からみて奥側の生地をいう。
【００１３】
表面３には、２つの折り目３ａ，３ｂが設けられている。折り目３ａは、バッグ本体１の表面３における左側縁１ｃよりも内側に設けられ、開口部１ａから底縁１ｂに向かって延在する。また、折り目３ｂは、バッグ本体１の表面３における右側縁１ｄよりも内側に設けられ、開口部１ａから底縁１ｂに向かって延在する。
【００１４】
裏面４にも、２つの折り目４ａ，４ｂが設けられている。折り目４ａは、バッグ本体１の裏面４において折り目３ａと重なり合う位置に設けられ、この折り目３ａと折り山の方向が一致するように延在する。また、折り目４ｂは、バッグ本体１の裏面４において折り目３ｂと重なり合う位置に設けられ、この折り目３ｂと折り山の方向が一致するように延在する。
【００１５】
図２（ａ）は、図１で示したバッグ本体１の中段部分を線分ＡＢで切断した折畳式手提バッグの断面図である。同図（ｂ）は、そのバリエーションの断面図である。なお、図１の点Ａ，Ｂは、図２のそれと位置的に対応する。同図（ａ）では、折り目３ａ，４ａの折り山と、折り目３ｂ，４ｂの折り山の方向は、一致している（表面３から見て谷折り方向）。これにより、バッグ本体１のうち、折り目３ａ，４ａによって分割された左側縁１ｃを有する左布片は、この折り目３ａ，４ａがガイドとなって表面３側（同図の下方向）への折り曲げを容易にする。一方、折り目３ｂ，４ｂによって分割された右側縁１ｄを有する右布片も、この折り目３ｂ，４ｂがガイドとなって表面３側への折り曲げを容易にする。
【００１６】
同図（ｂ）では、同図（ａ）と比較して一方の折り目のセット（折り目３ｂ，４ｂ）の折り山が、表面３からみて山折り方向となっており、他方の折り目のセット（３ａ，４ａ）のそれと異なっている。これにより、折り目３ｂ，４ｂによって分割された右側縁１ｄを有する右布片は、折り目３ｂ，４ｂがガイドとなって裏面４側（同図の上方向）の折り曲げを容易にする。なお、バッグ本体１を持ち上げず、テーブル等の上に置いて、裏面４側を下にした状態で折り畳むことができるようにするため、同図（ａ）のように各折り目３ａ，３ｂ，４ａ，４ｂの折り山の方向が一致しているほうが好ましい。
【００１７】
図３は、本実施形態における折り目の断面図である。同図（ａ）は、折り目３ａの断面図である。折り目３ａは、その周辺にある表面３の生地を折り曲げてできた折り山の頂部近傍（具体的には、頂部から１〜２ｍｍ）を、貫通するように重ね縫いしたピンタックによって形成される。本実施形態における他の折り目３ｂ，４ａ，４ｂおよび底縁１ｂも、同図（ａ）と同様の断面を有する。その場合、折り目４ａ，４ｂは、表面３の生地の代わりに裏面４のものが用いられる。
【００１８】
バッグ外側に山折りされた少なくとも一つの折り目は、バッグ本体１の側縁１ｃ，１ｄおよび底縁１ｂの少なくとも一方に設けられていれば足りる。同図（ｂ）は、左側縁１ｃの断面図である。左側縁１ｃの形成には、まず同図（ａ）と同様に、表面３の生地を折り曲げてできた折り山の頂部近傍を重ね縫いする。裏面４の生地も同様に重ね縫いする。そして、表面３，裏面４の端部を重ね、これらを保護布で覆った状態で各端部の近傍（具体的には、各端部から８〜１０ｍｍ）を、貫通するように重ね縫いする。これにより、左側縁１ｃには、バッグ外側に山折りされた一対の折り目（ピンタック）と、この一対の折り目との間に設けられ、バッグ内側に山折りされた一つの折り目とからなるマチが形成される。本実施形態における右側縁１ｄも、同図（ｂ）と同様の断面を有する。このマチの形成により、バッグ本体１を折り畳む際に、表面３と裏面４とをフラットに重ねることができる。
【００１９】
本実施形態における重ね縫いとは、ミシン縫製を想定しているが、本発明はこれに限定されず、生地同士が面で重なった状態で固定されていれば足りる。したがって、例えば樹脂等による折り山の頂部近傍の接着、形状記憶繊維の生地を用いた加熱（熱融解）・加圧（圧着）による固定であってもよい。
【００２０】
図４は、図１（図２（ａ））に示した折畳式手提げバッグの折り畳み工程の説明図である。まず、図４（ａ）に示すように、バッグ本体１を横方向に折り畳む。具体的には、バッグ本体１内を空にしてバッグ本体１を両面（表面３，裏面４）をフラットに重ねた上で、表面３が内側になるように折り、左布片および右布片を中央に束ねる。このとき、折り目３ａ，３ｂがガイドとなるため、バッグ本体１に余分な折り目を付けることなく、一定の横幅に容易に折り畳むことができる。
【００２１】
そして、図４（ｂ）に示すように、左布片と右布片とを中央に束ねたバッグ本体１を縦方向に折り畳み、バッグ本体１をコンパクトサイズにする。縦方向への折り畳み手法は任意であり、例えば、開口部１ａ（手提げ部２）側および底縁１ｂ側の両面から所定の幅を保ちながら折ってもよいし、一方から順に丸め込んでもよい。
【００２２】
このように本実施形態によれば、バッグ本体１の表面３側の折り目３ａ（３ｂ）およびバッグ本体１の裏面４側の折り目４ａ（４ｂ）は、互いに重なり合い、かつ、折り山の方向が一致する。これにより、バッグ本体１に折り畳む際のガイドが予め形成されるので、バッグ本体１の折り畳みを容易にすることができる。また、本実施形態によれば、各折り目３ａ，３ｂ，４ａ，４ｂは、生地を貫通するように重ね縫いすることで形成されたピンタックであるため、ガイドが無くなる（消える）ことはなく、いつまでも容易な折り畳みをすることができる。
【００２３】
また、本実施形態では、手提げ部２がバッグ本体１の左右の布片と一体となって形成されているが、本発明は、バッグ本体１の横方向への折り畳みを容易にするようにガイドが設けられていれば足りる。そのため、図５（ａ）に示すように、バッグ本体１を形成する表面３，裏面４の内部に、腕等を通せる適正なループ状の穴をそれぞれ開け、バッグ本体１の内部に手提げ部２を設けてもよい。この場合、開けられた穴の上部（手提げ部２から開口部１ａの間）にも折り目３ａ，３ｂ，４ａ，４ｂが形成されていることが好ましい。また、図５（ｂ）に示すように、バッグ本体１の開口部１ａ付近に手提げ部２を別体として設けてもよい。この場合、手提げ部２には、布や紐のような丈夫な素材を用いる。この場合、表面３の上方側に手提げ部２の一方を、裏面４の上方側に手提げ部２の他方に接着（または縫合）する。
【００２４】
なお、本実施形態では、バッグ本体１を三つ折りにするために、折り山の方向が一致する一対の折り目が二つ（折り目３ａ，４ａと、折り目３ｂ，４ｂ）が設けられていたが、本発明はこれに限定されず、一対の折り目がガイドとなって折り畳みを容易にできれば足りる。したがって、例えば、バッグ本体１に一対の折り目が一つまたは三つ以上設けられてもよい。一対の折り目が一つ（二つ折り）の場合、一対の折り目は、バッグ本体１の中央に設けられる。また、一対の折り目が三つ（四つ折り）の場合、中央にある一対の折り目の左右（具体的には、中央から左側縁１ｄの間、および中央から右側縁１ｃの間）にそれぞれ一つの折り目が設けられる。
【図面の簡単な説明】
【００２５】
【図１】折畳式手提げバッグの斜視図
【図２】折畳式手提げバッグの断面図
【図３】折り目の断面図
【図４】折り畳み工程の説明図
【図５】折畳式手提げバッグのバリエーションを示す説明図
【符号の説明】
【００２６】
１  バッグ本体
１ａ  開口部
１ｂ  底縁
１ｃ  左側縁
１ｄ  右側縁
２  手提げ部
３  表面
３ａ，３ｂ  折り目
４  裏面
４ａ，４ｂ  折り目
【図１】
2009061167.tif 000003
【図２】
2009061167.tif 000004
【図３】
2009061167.tif 000005
【図４】
2009061167.tif 000006
【図５】
2009061167.tif 000007